(57)【要約】【課題】  電話機と表示装置との組み合わせを自由に変更可能とする。【解決手段】  電話装置２のインターフェース装置５は、電話機６からその機能に関する情報等を入力し、その情報の内容を文字情報として表わす場合の当該文字を表わす文字情報コードを生成して車内ＬＡＮを介してディスプレイ装置３に送信する。ディスプレイ装置３は、受信した文字情報コードに対応した文字を表示パネル１４の所定の表示欄に表示する。また、ディスプレイ装置３は、スイッチ１５に対する操作内容に対応した文字を表わす文字情報コードを車内ＬＡＮを介して電話装置２に送信する。インターフェース装置５は、電話機６に対し受信した文字情報コードに対応した操作内容の情報を出力する。【選択図】  図１
2005354269.tif 000002
【特許請求の範囲】
【請求項１】
互いに通信可能に構成された電話装置と表示装置とを備え、
前記電話装置は、
電話機と、
この電話機からその機能に関する情報、操作に関する情報または通信状態に関する情報を入力し、その情報の内容を文字情報として表わす場合の当該文字を表わす文字情報コードを生成して前記表示装置に送信するインターフェース装置とを備え、
前記表示装置は、前記インターフェース装置から受信した文字情報コードに対応した文字を所定の表示領域に表示するように構成されていることを特徴とする自動車電話装置。
【請求項２】
前記表示装置は、操作入力部を備え、前記電話装置に対し、前記操作入力部に対して行われた操作内容に対応した文字を表わす文字情報コードを送信するように構成され、
前記インターフェース装置は、前記表示装置から前記操作内容に応じた文字情報コードを受信し、前記電話機に対しその文字情報コードに対応した操作内容の情報を出力するように構成されていることを特徴とする請求項１記載の自動車電話装置。
【請求項３】
前記表示装置は、前記操作入力部に対して数字の入力操作が行われたときに、専用のコマンドを用いてその入力された数字を前記電話装置に送信するように構成されていることを特徴とする請求項２記載の自動車電話装置。
【請求項４】
前記インターフェース装置は、前記表示装置に対し、予め定められた特定のコマンドを用いて、当該表示装置に表示させる表示情報の数と各表示情報を構成する文字を表わす文字情報コードとを送信するように構成されていることを特徴とする請求項１ないし３の何れかに記載の自動車電話装置。
【請求項５】
前記インターフェース装置は、前記表示装置に対し、前記特定のコマンドを用いて当該表示装置における各表示情報の表示領域を指定する表示領域指定情報を送信するように構成されていることを特徴とする請求項４記載の自動車電話装置。
【請求項６】
前記表示装置は、電話機に不可欠な機能に関する情報を表わす文字を、所定の表示領域に常時表示するように構成されていることを特徴とする請求項１ないし５の何れかに記載の自動車電話装置。
【発明の詳細な説明】
【技術分野】
【０００１】
本発明は、車両内に電話機と表示装置とを備え、電話機が有する機能等の情報を表示装置に表示する自動車電話装置に関する。
【背景技術】
【０００２】
カーナビゲーション装置で用いるディスプレイ装置やヘッドアップディスプレイ装置などの車載ディスプレイ装置（表示装置）に、電話機の状態（例えば着信の有無）を表示させ、運転者が電話機の情報を容易に得ることができる自動車電話装置がある（特許文献１を参照）。この自動車電話装置を用いると、電話機から出力される情報の視認性が向上する。
【特許文献１】特開２００２−１２５０１３号公報
【発明の開示】
【発明が解決しようとする課題】
【０００３】
このような自動車電話装置において、ディスプレイ装置は、電話機の機能に合わせて予め定められた項目（例えば電界強度、電話帳機能）の情報を電話機から受信し、それを表示画面上の予め決められた表示位置に表示する。しかし、これまでの自動車電話装置で用いられるディスプレイ装置は、それと組み合わされる特定の電話機の機能に特化した設計（例えば通信データ形式の設計、表示パネルの設計、画面デザインの設計）が行われているため、電話機だけを機能の異なる他の電話機（例えば他メーカの電話機）に交換したり、ディスプレイ装置だけを画面デザインなどが異なる他のディスプレイ装置に交換することはできなかった。
【０００４】
これに対しては、電話機とディスプレイ装置との間に、表示内容を表わす画面データを作成しそのＲＧＢ信号を出力する画像変換ユニットを設ける手段が考えられる。しかしながら、画像変換ユニットについて画面データを作成するコストが必要であり、電話機またはディスプレイ装置を交換すると、画像変換ユニットも交換したりあるいは画像変換ユニット内のソフトウェアを変更する必要が生じる。
【０００５】
本発明は上記事情に鑑みてなされたもので、その目的は、電話機と表示装置との組み合わせを自由に変更可能な自動車電話装置を提供することにある。
【課題を解決するための手段】
【０００６】
請求項１に記載した手段によれば、車両内に設置された電話機または車両内に持ち込まれた電話機は、インターフェース装置を介して有線または無線の車内ＬＡＮ等に接続され、表示装置との間で通信可能となる。電話機は、種々の機能を有しており、そうした機能に関する情報、操作に関する情報または通信状態に関する情報をインターフェース装置に対し出力する。
【０００７】
インターフェース装置は、電話機から入力した上記情報の内容を文字情報として表わす場合の当該文字を表わす文字情報コードを生成して表示装置に送信する。ここで、文字情報コードとは、例えばＡＳＣＩＩコード、ＪＩＳコードなどのキャラクタコード等であって、文字と対応付けられたコードであればよい。表示装置は、インターフェース装置から送信された文字情報コードを受信し、その文字情報コードに対応した文字を画面の所定の表示領域にそのまま表示する。
【０００８】
このように、電話機ごとに異なる機能、操作、状態に関する情報を電話機から表示装置に送信し表示する場合に、上記インターフェース装置を介在させることにより、各電話機に特有の機能コード等ではなく標準的な文字情報コードを用いるので、電話機の機能や表示装置の画面デザインの違いにかかわらず、上記電話機の情報を表示装置の所定の表示領域に表示することが可能となる。これにより、ユーザは制約を受けることなく好みの電話機または車両内に持ち込んだ携帯電話機を利用することができ、利用上の自由度が向上する。
【０００９】
請求項２に記載した手段によれば、表示装置は、表示出力部に加えて操作入力部を備え、操作入力部に対して行われた操作内容に対応した文字（例えば１、２、３、…などの選択番号）を表わす文字情報コードを電話装置に送信する。電話装置のインターフェース装置は、表示装置から操作内容に応じた文字情報コードを受信すると、電話機に対してその文字情報コードに対応した操作内容の情報を出力し、電話機は、直接操作された場合と同様にその操作内容に従った動作を行う。
【００１０】
このように、表示装置における操作内容を電話機特有の機能コード等ではなく標準的な文字情報コードを用いて電話装置に送信するので、表示装置から異なる種類の電話機を操作することが可能となる。その結果、ユーザは電話機または表示装置を自由に交換することができ、利用上の自由度が向上する。
【００１１】
請求項３に記載した手段によれば、表示装置は、操作入力部に対して数字の入力操作が行われたときに、専用のコマンドを用いてその入力された数字を電話装置に送信する。数字の入力は、表示装置が自動車電話装置以外の装置（例えばナビゲーション装置）に共用して用いられる場合であっても行われる一般的な操作内容であるため、専用のコマンドを用いて送信することにより汎用性が高まる。
【００１２】
請求項４に記載した手段によれば、電話装置のインターフェース装置は、表示装置に対し、電話機ごとに異なるコマンドを用いるのではなく、予め定められた特定のコマンドを共通に用いて、表示装置に表示させる表示情報の数と各表示情報を構成する文字を表わす文字情報コードを送信する。インターフェース装置と表示装置が上記コマンドを標準コマンドとして持つことにより、電話機と表示装置との組み合わせを自由に設定できる。
【００１３】
請求項５に記載した手段によれば、インターフェース装置は、表示装置に対し、上記特定のコマンドを用いて当該表示装置における各表示情報の表示領域を指定する表示領域指定情報を送信するので、表示装置の画面デザインの違い（例えば表示画面内における表示領域の位置）にかかわらず、各表示情報を表示装置の所定の表示領域に正しく表示することができる。
【００１４】
請求項６に記載した手段によれば、表示装置は、電話機に不可欠な機能に関する情報（例えば、「０」〜「９」、「＊」、「＃」などのダイヤル等英数字）を表わす文字を所定の表示領域に常時表示するので、通信データ量を減らすことができ、電話装置のインターフェース装置、表示装置の負荷を減らすことができる。
【発明を実施するための最良の形態】
【００１５】
以下、本発明の自動車電話装置の一実施形態について図面を参照しながら説明する。
図２は、車内ＬＡＮシステムの部分的な構成を示している。車内ＬＡＮシステムの通信線１には、電話装置２、ディスプレイ装置３、ナビゲーション装置４などが接続されており、相互に通信可能となっている。電話装置２は、通信線１に接続されたインターフェース装置５と電話機６とから構成されており、この電話装置２とディスプレイ装置３とにより自動車電話装置７が構成されている。なお、ディスプレイ装置３は、ナビゲーション装置４と自動車電話装置７とで共通に用いられるようになっている。また、車内ＬＡＮシステムは、有線ではなく無線により各装置を接続する構成であってもよい。
【００１６】
図１は、自動車電話装置７の電気的構成を示す機能ブロック図である。
電話機６は、車両に取り付けられた電話機または車両に持ち込まれた携帯電話機であり、ダイヤル発信機能、着信機能などの基本機能の他に、リダイヤル機能、不在着信機能、発信履歴表示情報、着信履歴表示機能、電話帳機能、通話時間表示機能、送信ミュート機能、トーン送出機能、電界強度表示機能などを有している。
【００１７】
また、電話機６は、インターフェース装置５に接続された状態で、上記各機能に関する情報、操作に関する情報（例えばダイヤルの表示文字）および通信状態（例えば電界強度）に関する情報（以下、まとめて機能情報信号と称す）をインターフェース装置５に出力するとともに、インターフェース装置５から操作内容を表わす情報（以下、操作情報信号と称す）を入力するようになっている。さらに、後述するハンズフリー機能を用いるために、電話機６とインターフェース装置５との間で音声信号も入出力されるようになっている。
【００１８】
インターフェース装置５は、機能情報信号の内容を文字情報として表わす際の当該文字を表わす文字情報コードを生成してディスプレイ装置３に送信するとともに、ディスプレイ装置３からその操作内容に応じた文字情報コードを受信して、電話機６に対しその文字情報コードに対応した操作内容の情報すなわち操作情報信号を出力するようになっている。
【００１９】
具体的には、インターフェース装置５は、電話機６との間で機能情報信号と操作情報信号を送受信する電話機ＩＦ回路８、車内ＬＡＮを介してディスプレイ装置３との間で文字情報コードを送受信する車内ＬＡＮＩＦ回路９、車両内に設置されたスピーカ１０とマイク１１が接続されたハンズフリー回路１２およびこれらの回路を制御する制御装置１３から構成されている。制御装置１３は、ＣＰＵ、ＲＡＭやＥＥＰＲＯＭなどからなるメモリ、スピーカ１０に対し音声信号を出力するためのＤ／Ａ変換器、マイク１１から音声信号を入力するためのＡ／Ｄ変換器を備えている。また、ＥＥＰＲＯＭなどの電気的書き換え可能な不揮発性メモリには、電話機６の機能情報信号から文字情報への変換テーブル、文字情報から操作情報信号への変換テーブル、文字情報コード表などが予め記憶されている。
【００２０】
一方、ディスプレイ装置３（表示装置に相当）は、電話装置２のインターフェース装置５から車内ＬＡＮを介して受信した文字情報コードに対応した文字を表示パネル１４の所定の表示領域に表示するとともに、タッチパネルスイッチなどのスイッチ１５（操作入力部に相当）に対して行われた操作に対応した文字を表わす文字情報コードを車内ＬＡＮを介して電話装置２に送信するようになっている。
【００２１】
ディスプレイ装置３は、上記表示パネル１４とスイッチ１５の他に、表示パネル１４を駆動する表示ＩＦ回路１６、スイッチ１５に対するスイッチＩＦ回路１７、車内ＬＡＮを介して電話装置２との間で文字情報コードを送受信する車内ＬＡＮＩＦ回路１８およびこれらの回路を制御する制御回路１９を備えている。
【００２２】
次に、本実施形態の作用について図３ないし図８も参照しながら説明する。
図３は、自動車電話装置７のシーケンス図であり、図４、図５は、それぞれインターフェース装置５の制御回路１３、ディスプレイ装置３の制御回路１９が実行する処理内容を示すフローチャートである。また、図６ないし図８は、表示パネル１４の具体的な表示例を示している。
【００２３】
まず、表示パネル１４をナビゲーション等の画面表示から電話画面表示に切り替えるため、ユーザがディスプレイ装置３のスイッチ１５に対し所定の操作を行うと、ディスプレイ装置３は、電話装置２に対し、車内ＬＡＮを介して電話画面表示の画面表示情報要求信号を送信する（図５のステップＴ１）。電話装置２のインターフェース装置５は、ディスプレイ装置３から画面表示情報要求信号を受信すると（図４のステップＳ１）、電話機６から受信した機能情報信号に基づいて電話機６の状態を認識し（ステップＳ２）、ディスプレイ装置３に表示すべき電話機６の機能メニューその他の情報を得る（ステップＳ３）。
【００２４】
続いて、インターフェース装置５は、機能情報信号から文字情報への変換テーブルおよび文字情報コード表を参照して、電話機６の機能メニューを文字情報として表わす場合の当該文字を表わす文字情報コードを生成し（ステップＳ４）、その文字情報コードを画面表示情報として所定の文字送信コマンドおよび表示欄指定情報（後述）とともにディスプレイ装置３に送信する（ステップＳ５）。ここでは、漢字表示ができるように文字情報コードとしてＪＩＳコードを用いている。送信データの形式は、文字送信コマンド、表示情報の数および文字情報コードからなる。ディスプレイ装置３は、電話装置２から受信した文字情報コードに対応した文字を、表示欄指定情報により指定された表示領域に表示する（ステップＴ２、Ｔ３）。
【００２５】
図６は、電話画面表示に切り替えた時の表示パネル１４の表示例を示している。表示パネル１４の表示画面には、情報表示欄１４ａ、メニュー表示欄１４ｂおよびダイヤル等表示欄１４ｃが区分して設けられている。情報表示欄１４ａは、電界強度（圏内、圏外）および選択された機能を表示する欄であって、メニュー表示欄１４ｂは、電話機の各種機能（例えば着信履歴、発信履歴、電話帳、不在着信）の表示欄である。また、ダイヤル等表示欄１４ｃは、タッチパネルスイッチ構成のスイッチ１５の配設位置に対応した「０」〜「９」、「＊」、「＃」の英数字および「ＯＫ」、「Ｃａｎｃｅｌ」の英文字（以下、ダイヤル等英数字と称す）の表示欄である。図６（ａ）、（ｂ）は、情報表示欄１４ａおよびメニュー表示欄１４ｂの表示内容が一部異なる例であり、図６（ｃ）は、（ａ）、（ｂ）と異なる画面デザインを有する場合の例である。
【００２６】
表示欄指定情報は、電話装置２から送信されてくる画面表示情報を情報表示欄１４ａ、メニュー表示欄１４ｂ、ダイヤル等表示欄１４ｃの何れの表示欄に表示するかを指定するものである。ただし、何れの電話機でも必ず有する基本機能例えば電界強度（圏内、圏外）やダイヤル等英数字は、表示欄指定情報がなくてもディスプレイ装置３が自ら判断して所定の表示欄に表示する。また、電話機６の基本機能であってその表示内容が変わらないもの例えばダイヤル等英数字は、電話装置２から文字情報コードを送信しなくても、ディスプレイ装置３がダイヤル等表示欄１４ｃに自動表示するようにしてもよい。これにより、通信量を減らすことができる。
【００２７】
図６（ａ）に示す例では、電話装置２からディスプレイ装置３に対し、「文字送信コマンド、表示情報の数（１）、文字情報コード（「圏内」）、表示欄指定情報（情報表示欄１４ａ）」のデータ列と、「文字送信コマンド、表示情報の数（３）、文字情報コード（「１．着信履歴  ２．発信履歴  ３．電話帳」）、表示欄指定情報（メニュー表示欄１４ｂ）」のデータ列が送信される。
【００２８】
この表示状態でユーザがスイッチ１５（タッチパネルスイッチ）を操作すると、ディスプレイ装置３は、操作内容に対応した文字を表わす文字情報コードを電話装置２に送信する（図５のステップＴ４）。例えば、ユーザがタッチパネル方式のカーソルキーをタッチ操作して「３．電話帳」の機能を選択した後「ＯＫ」をタッチ操作して選択すると、ディスプレイ装置３は、「３」という文字（選択メニュー番号）を表わす文字情報コードを電話装置２に送信する。従って、ディスプレイ装置３は、選択された機能を示す文字のみを認識すればよく、その機能名称までを認識する必要はない。
【００２９】
また、ユーザがタッチパネル方式のダイヤル等英数字をタッチ操作してダイヤル番号を入力後「ＯＫ」をタッチ操作して選択すると、ディスプレイ装置３は、そのダイヤル番号を表わす文字情報コードを電話装置２に送信する。ただし、何れの電話機でも必ず有する機能例えば上記ダイヤル番号の英数字入力操作を行った場合には、上記文字送信コマンドとは別の専用コマンドを用いて送信するようにしてもよい。これは、英数字の入力操作は、ディスプレイ装置３を電話装置２の一部として使用する場合に限らず、ディスプレイ装置３を他の用途に用いる場合でも必ず必要な操作であるため、別の専用コマンドとした方が使い勝手が向上するからである。
【００３０】
さて、電話装置２のインターフェース装置５は、ディスプレイ装置３から文字情報コードを受信すると（ステップＳ６）、文字情報コード表および文字情報から操作情報信号への変換テーブルを参照して、受信した文字情報コードに対応した操作内容を電話機６に対し出力し（ステップＳ７）、電話機６は直接操作された場合と同様にしてその操作内容に従った動作を実行する。その後、インターフェース装置５は、再び、電話機６から機能情報信号を受信し電話機６の状態を認識する（ステップＳ２）。
【００３１】
図７は、「３．電話帳」の機能を選択した場合における表示パネル１４の表示例を示している。この場合、電話機６は、自らの電話帳メモリ内のデータをインターフェース装置５に出力する。インターフェース装置５が、ディスプレイ装置３に対し、「文字送信コマンド、表示情報の数（２）、文字情報コード（「電話帳  圏内」）、表示欄指定情報（情報表示欄１４ａ）」のデータ列を送信すると（ステップＳ５）、ディスプレイ装置３は、「電話帳  圏内」という文字を情報表示欄１４ａに表示する（ステップＴ３）。
【００３２】
さらに、インターフェース装置５が、電話機６の電話帳メモリの内容例えば「１．織田  ２．豊臣  ３．徳川」という文字を表わす文字情報コードと表示情報の数（この例では３）とメニュー表示欄１４ｂを指定する表示欄指定情報とを文字送信コマンドとともにディスプレイ装置３に送信すると（ステップＳ５）、ディスプレイ装置３は、その文字を情報表示欄１４ａに表示する（ステップＴ３）。表示された電話帳からの選択操作およびその後の動作は、上述した機能選択と同様となる。
【００３３】
図８は、ダイヤル番号の英数字入力操作を行った場合における表示パネル１４の表示例を示している。この場合、電話機６は、ダイヤル番号に発信を行い通話中の状態に遷移する。インターフェース装置５が、「電話中  圏内」という文字を表わす文字情報コードと表示情報の数（この例では２）と情報表示欄１４ａを指定する表示欄指定情報とを文字送信コマンドとともにディスプレイ装置３に送信すると（ステップＳ５）、ディスプレイ装置３は、上記文字を情報表示欄１４ａに表示する（ステップＴ３）。
【００３４】
続いて、インターフェース装置５が、「１．終話  ２．送話ミュート  ３．トーン送出」という文字を表わす文字情報コードと表示情報の数（この例では３）とメニュー表示欄１４ｂを指定する表示欄指定情報とを文字送信コマンドとともにディスプレイ装置３に送信すると（ステップＳ５）、ディスプレイ装置３は、その文字を情報表示欄１４ａに表示する（ステップＴ３）。終話、送話ミュートおよびトーン送出は、通話中に使える機能である。
【００３５】
画面表示情報と操作情報の送受信は、ユーザが表示パネル１４を電話画面表示からナビゲーション等の画面表示に切り替えることにより終了する。また、ナビゲーション等の画面表示であっても、電話機６への着信があった場合には、自動的に電話画面表示に切り替わるように設定することもできる。
【００３６】
以上説明したように、本実施形態の自動車電話装置７は、ディスプレイ装置３と電話機６との間にインターフェース装置５を備えている。このインターフェース装置５は、電話機６の機能や状態に関する情報を文字情報に変換するとともに、その文字を表わす文字情報コードを生成してディスプレイ装置３に送信し、ディスプレイ装置３は、受信した文字情報コードに対応した文字を表示パネル１４にそのまま表示する。すなわち、電話機６に特有の機能コード等ではなく標準的な文字情報コードを用いて通信を行うので、電話機６の機能やディスプレイ装置３の画面デザインの違いにかかわらず、電話機６の機能や状態に関する情報をディスプレイ装置３の所定の表示欄に正しく表示することができる。
【００３７】
また、ディスプレイ装置３は、スイッチ１５に対する操作内容を電話機特有の機能コード等ではなく標準的な文字情報コードを用いて送信し、インターフェース装置５がその文字情報コードを操作内容の情報に変換して電話機６に出力するので、ディスプレイ装置３から異なる種類の電話機６を操作することができる。その結果、ユーザは電話機６またはディスプレイ装置３を自由に交換することができるようになり、利用上の自由度が向上する。
【００３８】
なお、本発明は上記し且つ図面に示す実施形態に限定されるものではなく、例えば以下のように変形または拡張が可能である。
ディスプレイ装置３は、カーナビゲーション装置に一体的に組み込まれているものであってもよい。
ディスプレイ装置３の操作入力部（上記実施形態ではスイッチ１５）は、必要に応じて設ければよい。例えば、ハンズフリー回路１２を用いて音声により操作を行う場合には、操作入力部を省略することができる。また、操作入力部は、タッチパネルスイッチなどのスイッチに限られない。
【００３９】
文字情報コードは、ＪＩＳコードやＡＳＣＩＩコードなどのキャラクタコードであって、文字と対応付けられたコードであればよい。
ダイヤル等表示欄１４ｃのある画面とダイヤル等表示欄１４ｃのない画面など２種類以上の画面を設け、文字送信コマンドの中にどの画面を表示するかを設定する画面選択情報を加えてもよい。ダイヤル発信、メモリ登録など数字入力を伴う操作が必要とされる場合には、ダイヤル等表示欄１４ｃのある画面を選択するとともに数字を大きく表示し、メニュー選択を行う操作が必要とされる場合には、ダイヤル等表示欄１４ｃのない画面を選択するとともにメニューを大きく表示することにより、操作姓を高めることができる。
【図面の簡単な説明】
【００４０】
【図１】本発明の一実施形態を示す自動車電話装置の電気的な機能ブロック図
【図２】車内ＬＡＮシステムの部分的な構成図
【図３】自動車電話装置のシーケンス図
【図４】インターフェース装置の制御回路が実行する処理内容を示すフローチャート
【図５】ディスプレイ装置の制御回路が実行する処理内容を示すフローチャート
【図６】電話画面表示に切り替えた時の表示パネルの表示例を示す図
【図７】電話帳機能を選択した場合における表示パネルの表示例を示す図
【図８】ダイヤル番号入力操作を行った場合における表示パネルの表示例を示す図
【符号の説明】
【００４１】
２は電話装置、３はディスプレイ装置（表示装置）、５はインターフェース装置、６は電話機、７は自動車電話装置、１５はスイッチ（操作入力部）である。
【図１】
2005354269.tif 000003
【図２】
2005354269.tif 000004
【図３】
2005354269.tif 000005
【図４】
2005354269.tif 000006
【図５】
2005354269.tif 000007
【図６】
2005354269.tif 000008
【図７】
2005354269.tif 000009
【図８】
2005354269.tif 000010